(57)【要約】【課題】シフト排出の機構が簡素であるとともに、シフト排出機構の作動音の小さい画像形成装置を提供する。【解決手段】用紙５０を排出させる排出ローラ１６と、用紙５０の搬送方向１９に対して排出ローラ１６の上流側に隣接させた搬送ローラ（ヒートローラ３０、プレスローラ３１）と、排出ローラ１６と搬送ローラ（ヒートローラ３０、プレスローラ３１）との間に設けられ、用紙５０の終端部５２が搬送ローラ（ヒートローラ３０、プレスローラ３１）を通過した場合に、用紙５０の搬送方向１９に直交する方向における用紙５０の押止部分５５に、用紙５０面に交差する方向から、抵抗を付与する用紙押止部２０と、を具備する画像形成装置１とする。【選択図】図３
2009274794.tif 000002
【特許請求の範囲】
【請求項１】
用紙を排出させる排出ローラと、
前記用紙の搬送方向に対して前記排出ローラの上流側に隣接させた搬送ローラと、
前記排出ローラと前記搬送ローラとの間に設けられ、前記用紙の終端部が前記搬送ローラを通過した場合に、前記用紙の搬送方向に直交する方向における前記用紙の一端部に、用紙面に交差する方向から抵抗を付与する用紙押止部と、
を具備することを特徴とする画像形成装置。
【請求項２】
前記用紙押止部と前記搬送ローラとの間に、用紙の終端部を検知する第１用紙検知部を設け、
前記第１用紙検知部が用紙の終端部を検知することで、前記用紙の終端部が前記搬送ローラを通過したことを検知する、
ことを特徴とする請求項１に記載の画像形成装置。
【請求項３】
前記搬送ローラの上流側に、用紙の始端部を検知する第２用紙検知部を設け、
前記第２用紙検知部が用紙の始端部を検知してから所定時間経過したことで、前記用紙の終端部が前記搬送ローラを通過したことを検知する、
ことを特徴とする請求項１に記載の画像形成装置。
【請求項４】
前記用紙押止部は、用紙との当接部分を、用紙搬送方向に回転する回転体としたことを特徴とする請求項１から請求項３のいずれか１項に記載の画像形成装置。
【発明の詳細な説明】
【技術分野】
【０００１】
本発明は、画像を記録した用紙をシフトさせて排出するシフト排出機構を備えた画像形成装置の技術に関する。
【背景技術】
【０００２】
従来、画像を記録した用紙を、例えば部数単位といった所定の条件で排出位置を変更して排紙トレイに排出する、シフト排出機構を備えた画像形成装置が知られている（例えば、特許文献１、特許文献２）。このような画像形成装置においては、排紙トレイ自体を、又は用紙を挟持するように配置された排出ローラ対全体を、用紙の搬送方向に対して左右方向に揺動させて用紙をシフトさせることにより、排紙トレイ上での用紙の排出位置を変更している。
【特許文献１】特開平６−１６３１９号公報
【特許文献２】特開平８−１０８９６５号公報
【発明の開示】
【発明が解決しようとする課題】
【０００３】
しかしながら、従来のシフト排出機構を備えた画像形成装置においては、排紙トレイ自体を、又は排出ローラ対全体を揺動させるため、揺動させるための機構が大掛かりで複雑なものになるという問題点があった。また、排紙トレイ自体を、又は排出ローラ対全体を揺動させるため、揺動における動作域が広く、シフト排出機構の作動音が大きいという問題点もあった。
【０００４】
本発明は、かかる問題を解決すべくなされたものであり、シフト排出の機構が簡素であるとともに、シフト排出機構の作動音の小さい画像形成装置を提供することを目的とする。
【課題を解決するための手段】
【０００５】
本発明の解決しようとする課題は以上の如くであり、次にこの課題を解決するための手段を説明する。
【０００６】
即ち、第１の発明に係る画像形成装置は、
用紙を排出させる排出ローラと、
前記用紙の搬送方向に対して前記排出ローラの上流側に隣接させた搬送ローラと、
前記排出ローラと前記搬送ローラとの間に設けられ、前記用紙の終端部が前記搬送ローラを通過した場合に、前記用紙の搬送方向に直交する方向における前記用紙の一端部に、用紙面に交差する方向から抵抗を付与する用紙押止部と、
を具備するものである。
【０００７】
第２の発明に係る画像形成装置は、
前記用紙押止部と前記搬送ローラとの間に、用紙の終端部を検知する第１用紙検知部を設け、
前記第１用紙検知部が用紙の終端部を検知することで、前記用紙の終端部が前記搬送ローラを通過したことを検知するものである。
【０００８】
第３の発明に係る画像形成装置は、
前記搬送ローラの上流側に、用紙の始端部を検知する第２用紙検知部を設け、
前記第２用紙検知部が用紙の始端部を検知してから所定時間経過したことで、前記用紙の終端部が前記搬送ローラを通過したことを検知するものである。
【０００９】
ここで、所定時間とは、用紙の始端部が第２用紙検知部を通過してから、当該用紙の終端部が搬送ローラを通過するまでに要する時間をいう。
【００１０】
第４の発明に係る画像形成装置は、第１から第３のいずれか１つの発明に係る画像形成装置において、
前記用紙押止部は、用紙との当接部分を、用紙搬送方向に回転する回転体としたものである。
【発明の効果】
【００１１】
本発明の効果として、以下に示すような効果を奏する。
【００１２】
第１の発明においては、用紙の終端部が搬送ローラを通過した場合に、用紙押止部により、用紙の搬送方向に直交する方向における用紙の一端部に、用紙面に交差する方向から抵抗が付与されることから、抵抗が付与された側の用紙の搬送速度が一時的に減速されて、用紙を搬送方向に対して斜行させることができる。そのため、用紙をシフトさせた状態で排紙トレイに排出することができる。また、用紙押止部は、用紙の一端部に抵抗を付与する構成であることから、機構を簡素化できるとともに、動作域を狭くし、シフト排出機構の作動音を小さくすることができる。
【００１３】
第２の発明においては、用紙押止部と搬送ローラとの間に設けた第１用紙検知部が用紙の終端部を検知することで、用紙の終端部が搬送ローラを通過したことを検知することから、用紙の終端部が搬送ローラを通過したことを適確に検知することができる。そして、用紙押止部は、用紙の両端部がローラによりニップされた状態で用紙の一端部に抵抗を付与することはないため、用紙押止部が用紙の一端部に抵抗を付与する際に、用紙の両端部に無理な力が加えられず、用紙が損傷等することがない。
【００１４】
第３の発明においては、搬送ローラの上流側に設けた第２用紙検知部が用紙の始端部を検知してから所定時間経過したことで、用紙の終端部が搬送ローラを通過したことを検知することから、用紙の終端部が搬送ローラを通過したことを適確に検知することができる。そして、用紙押止部は、用紙の両端部がローラによりニップされた状態で用紙の一端部に抵抗を付与することはないため、用紙押止部が用紙の一端部に抵抗を付与する際に、用紙の両端部に無理な力が加えられず、用紙が損傷等することがない。
【００１５】
第４の発明においては、用紙押止部は、用紙との当接部分を、用紙搬送方向に回転する回転体としたことから、用紙押止部が用紙の一端部に抵抗を付与する際に、用紙に対する接触面積が小さくなるとともに、用紙に必要以上の力がかからないため、用紙が損傷等することがない。
【発明を実施するための最良の形態】
【００１６】
以下、本発明の実施形態に係る画像形成装置１の第１実施例について図面に基づいて説明する。図１は第１実施例に係る画像形成装置１の概略図である。画像形成装置１は、給紙カセット２と、ピックアップローラ４と、レジストローラ５と、感光体ドラム６と、帯電器７と、露光器８と、現像器９と、トナーカートリッジ１０と、トナーホッパー１１と、転写ローラ１２と、清掃器１３と、定着器１４と、排出ローラ１６と、を具備する。
【００１７】
給紙カセット２には用紙５０が格納されている。ピックアップローラ４は、給紙カセット２内の用紙５０を搬送路３に繰り出す。レジストローラ５は、ピックアップローラ４の下流側に配置された搬送ローラである。感光体ドラム６は、表面に感光層が形成され、図示せぬモータによって回転駆動される。帯電器７は、感光体ドラム６の表面を帯電する。露光器８は、感光体ドラム６の表面に光を照射する。現像器９は、感光体ドラム６の表面にトナーを供給する。トナーホッパー１１は、トナーカートリッジ１０から供給されるトナーを一時的に溜め、現像器９のトナー量に応じてトナーを供給する。転写ローラ１２は、用紙５０を感光体ドラム６との間でニップする。清掃器１３は、感光体ドラム６の表面からトナー或いは紙粉等の異物を除去する。定着器１４は、転写後の用紙５０を加熱及び加圧する。排出ローラ１６は、搬送路３の最下流部に配置され用紙５０を排紙トレイ１５へ排出する。
【００１８】
画像形成装置１は、ユーザから印字命令が出されると、感光体ドラム６の表面が帯電器７によって一様に帯電される。そして記録すべき画像データに応じた光を露光器８から照射して感光体ドラム６上の電荷を部分的に除去することで静電潜像を形成し、前記静電潜像に現像器９からトナーを供給することでトナー像を形成する。一方、ユーザから印字命令が出されることに伴い、給紙カセット２に格納された用紙５０がピックアップローラ４により最上紙から１枚ずつ取り出されて搬送路３へ繰り込まれる。用紙５０は、レジストローラ５に突き当たって撓むことで搬送中に生じた斜行が是正される。用紙５０はレジストローラ５が回転することで感光体ドラム６での像形成にタイミングを合わせて転写ニップ位置に送り込まれる。用紙５０は転写ローラ１２により感光体ドラム６に圧力が加わって接触される。用紙５０は、転写ローラ１２に対して感光体ドラム６上のトナー像と逆極性の電圧が印加されることで、トナー像が転写される。用紙５０は搬送路３を下流側へ搬送され、定着器１４によって加熱・加圧されることで、用紙５０上のトナー像が定着する。その後、用紙５０は排出ローラ１６により排紙トレイ１５へと排出される。
【００１９】
図２は、第１実施例に係る画像形成装置１の用紙押止部２０近傍の平面図、図３は、第１実施例に係る画像形成装置１の用紙押止部２０近傍の側面図を示す。用紙押止部２０は、排出ローラ１６と、搬送ローラであるヒートローラ３０及びプレスローラ３１を有する定着器１４との間に設けられている。図２に示すように、用紙押止部２０は、用紙５０の搬送方向１９に対して直交する方向（図２の図示上下方向）における用紙５０の一端部に用紙５０の面に交差する方向（図２の紙面手前から奥への方向）から抵抗を付与する。尚、用紙押止部２０の配置は、図２、及び図３の場合に限定されるものではなく、排出ローラ１６と定着器１４との間であって、用紙押止部２０を用紙５０の周端部が通過可能な位置に設けられていればよい。また、排出ローラ１６と定着器１４との間に別途搬送ローラを設ける場合には、用紙押止部２０は、排出ローラ１６と、別途設けた搬送ローラとの間に設けることとする。
【００２０】
図３に示すように、用紙押止部２０は、第１押止部２１と、第２押止部２２と、ソレノイド２３と、から構成されている。第１押止部２１は、用紙５０の第１面側に設けられ、ソレノイド２３と接続されている。ここで、用紙５０の第１面は、用紙５０を給紙カセット２に載せた際に装置本体に対して上面となる面とする。第１押止部２１は、ソレノイド２３が作動することにより用紙５０の搬送方向１９に対して上下方向に動作する。第２押止部２２は板状の部材であり、用紙５０の第２面側であって第１押止部２１に対向する位置に設けられている。ここで、用紙５０の第２面は、用紙５０を給紙カセット２に載せた際に装置本体に対して下面となる面とする。尚、第１押止部２１を用紙５０の第２面側に設け、第２押止部２２を用紙５０の第１面側に設けても構わない。
【００２１】
第１用紙検知部であるペーパーディスチャージセンサ（ＰＤＳ）１７は、定着器１４を通過した用紙５０の終端部５２を検知するセンサである。図１に示すように、ペーパーディスチャージセンサ（ＰＤＳ）１７は、用紙押止部２０と定着器１４との間に設けられている。ペーパーディスチャージセンサ（ＰＤＳ）１７が、用紙５０の終端部５２を検知することにより、制御部４０（図５、図７）は、用紙５０が定着器１４を通過したと判断する。
【００２２】
第２用紙検知部であるペーパースタートセンサ（ＰＳＳ）１８（図１）は、ピックアップローラ４により繰り出された用紙５０の始端部５１を検知するセンサである。図１に示すように、ペーパースタートセンサ（ＰＳＳ）１８は、定着器１４の上流側に設けられている。ペーパースタートセンサ（ＰＳＳ）１８が用紙５０の始端部５１を検知することにより、制御部４０（図５、図７）は、用紙５０が給紙カセット２から搬送されたと判断する。そして、ペーパースタートセンサ（ＰＳＳ）１８が用紙５０の始端部５１を検知してから所定時間経過したことで、制御部４０（図５、図７）は、用紙５０の終端部５２が定着器１４を通過したと判断する。ここで、所定時間は、用紙５０の始端部５１がペーパースタートセンサ（ＰＳＳ）１８を通過してから、用紙５０の終端部５２が定着器１４を通過するまでに要する時間とする。
【００２３】
次に、用紙押止部２０が用紙５０に抵抗を付与して斜行させる際のメカニズムについて説明する。図４は、用紙５０が用紙押止部２０により抵抗を付与されて斜行する際の概略図である。図３に示すように、ソレノイド２３が作動すると、第１押止部２１は、用紙５０の搬送方向１９に対して短時間の間に上下方向に往復する。ここで、短時間の間は、用紙押止部２０が、折れ曲がり等による用紙５０の損傷を生じさせない程度に用紙５０の一端部に抵抗を付与することにより、一時的に、用紙５０の用紙押止部２０により抵抗を付与された側と、用紙５０の用紙押止部２０により抵抗を付与された側の反対側との間に搬送速度の差を生じさせることができる時間とする。
【００２４】
まず、第１押止部２１が上方に移動することにより、第１押止部２１の頂部が用紙５０の第１面に当接し、用紙５０が若干持ち上げられて用紙５０の第２面が第２押止部２２に当接する。これにより、用紙５０は、第１押止部２１、及び第２押止部２２によって、用紙５０の記録面に交差する方向から抵抗が付与された状態となる。そして、直後に第１押止部２１が下方に移動することにより、用紙５０は、第１押止部２１、及び第２押止部２２から抵抗が付与された状態から開放される。このように、用紙押止部２０は、用紙５０の搬送方向１９に対して直交する方向における用紙の一端部（押止部分５５）に一時的に抵抗が付与される。
【００２５】
押止部分５５に抵抗が付与されると、用紙５０の押止部分５５側の搬送速度は一時的に減速する。一方、用紙５０の押止部分５５側と反対側の搬送速度はほとんど変化がない。すなわち、押止部分５５に抵抗が付与されている間、一時的に押止部分５５側と、押止部分５５の反対側との間で搬送速度に差が生じるのである。そして、搬送速度の低下した側（用紙５０の押止部分５５側）に対し、搬送速度に変化のない側（用紙５０の押止部分５５の反対側）が先行することにより、用紙５０が僅かに回転し、用紙５０の搬送方向１９に対して傾いた状態となるのである（図４、用紙５０ａ）。ここで、押止部分５５は、図２、図４に示すように、用紙５０の搬送方向１９に対して直交する方向の左側端部（図２、図４の下側端部）に限定されるものではなく、右側端部（図２、図４の上側端部）となるようにしてもよい。尚、押止部分５５の位置は用紙５０の搬送方向１９に対して直交する左右端部であることが好ましいが、これに限定されない。つまり、用紙５０の左右で搬送速度に差を生じさせる位置であればよい。
【００２６】
用紙５０は、押止部分５５に抵抗が付与されない状態となった後も、搬送方向１９に対して傾いた状態のまま搬送され、そのため、第１押止部２１が用紙５０の搬送方向１９に対して下方向に移動した後も、用紙５０は、通常搬送時（図４、用紙５０ｂ）と比べて傾いた状態（図４、用紙５０ａ）で斜行しながら搬送される。そして、用紙５０は、傾いた状態のまま排紙トレイ１５へ排出される。
【００２７】
次に、用紙押止部２０の制御について説明する。図５は、用紙押止部２０の構成を示すブロック図、図６は、用紙押止部２０の制御を示すフローチャートである。図５に示すように、第１実施例に係る画像形成装置１の用紙押止部２０は制御部４０に接続され、制御部４０により各種動作が制御される。
【００２８】
図６に示すように、ペーパーディスチャージセンサ（ＰＤＳ）１７は、用紙５０の終端部５２を検知することにより（Ｓ１）、検知信号を制御部４０へ送信する。制御部４０は、当該検知信号を受信することにより、用紙５０が定着器１４を通過したと判断する。そして、制御部４０は、定着器１４を通過した用紙５０がシフト排出をさせる用紙であるか否かを判断する（Ｓ２）。定着器１４を通過した用紙５０がシフト排出させる用紙ではないと判断した場合（Ｓ２−Ｎｏ）、制御部４０は用紙５０をシフト排出させない通常時の搬送で制御する。
【００２９】
定着器１４を通過した用紙５０がシフト排出をさせる用紙であると判断した場合（Ｓ２−Ｙｅｓ）、制御部４０は、用紙押止部２０のソレノイド２３を制御する。ソレノイド２３が作動することにより（Ｓ３）、第１押止部２１が用紙５０の搬送方向１９に対して上方向に移動する。そして、第１押止部２１は、用紙５０の押止部分５５に当接した後、用紙５０の搬送方向１９に対して下方向に移動する（Ｓ４）。ここで、第１押止部２１が用紙５０の押止部分５５に当接する時間は、折れ曲がり等による用紙５０の損傷が生じない程度に、押止部分５５に抵抗を付与することにより、一時的に、押止部分５５側と、押止部分５５側と反対側との間に搬送速度の差を生じさせることができる時間である。このように、用紙５０は、ソレノイド２３が短時間の間に往復動作をすることにより、用紙押止部２０から抵抗が付与される。
【００３０】
以上のように、第１実施例に係る画像形成装置１においては、用紙５０の搬送方向１９に対して、定着器１４の下流側に設けたセンサ（ペーパーディスチャージセンサ（ＰＤＳ）１７）の検知信号によって用紙押止部２０の制御を行う。
【００３１】
次に、本発明の実施形態に係る画像形成装置１の第２実施例について説明する。尚、第２実施例に係る画像形成装置１において、第１実施例に係る画像形成装置１と同様の構成については説明を省略する。図７は、第２実施例に係る画像形成装置１の用紙押止部２０の構成を示すブロック図、図８は、用紙押止部２０の制御を示すフローチャートである。図７に示すように、用紙押止部２０は制御部４０に接続され、制御部４０により各種動作が制御される。
【００３２】
図８に示すように、ペーパースタートセンサ（ＰＳＳ）１８は、用紙５０の始端部５１を検知することにより（Ｓ１１）、検知信号を制御部４０へ送信する。制御部４０は、当該検知信号を受信することにより、用紙５０が給紙カセット２から搬送されたと判断する。そして、制御部４０は、給紙カセット２から搬送された用紙５０がシフト排出をさせる用紙であるか否かを判断する（Ｓ１２）。定着器１４を通過した用紙５０がシフト排出をさせる用紙ではないと判断した場合（Ｓ１２−Ｎｏ）、制御部４０は用紙５０をシフト排出させない通常時の搬送で制御する。
【００３３】
定着器１４を通過した用紙５０がシフト排出をさせる用紙であると判断した場合（Ｓ１２−Ｙｅｓ）、制御部４０は、デレイタイマ４１のカウントを開始する（Ｓ１３）。ここで、デレイタイマ４１は、用紙５０の終端部５２が定着器１４を通過するタイミングで用紙押止部２０が作動するように、用紙５０の搬送速度、用紙５０の大きさ等により予め作動タイミングが設定されている。
【００３４】
デレイタイマ４１の設定されたタイミングにより、用紙押止部２０のソレノイド２３が作動する（Ｓ１４）。ソレノイド２３が作動することにより（Ｓ１４）、第１押止部２１が用紙５０の搬送方向１９に対して上方向に移動する。そして、第１押止部２１は、用紙５０の押止部分５５に当接した後、用紙５０の搬送方向１９に対して下方向に移動する（Ｓ１５）。ここで、第１押止部２１が用紙５０の押止部分５５に当接する時間は、折れ曲がり等による用紙５０の損傷が生じない程度に、押止部分５５に抵抗を付与することにより、一時的に、押止部分５５側と、押止部分５５側と反対側との間に搬送速度の差を生じさせることができる時間である。このように、用紙５０は、ソレノイド２３が短時間の間に往復動作をすることにより、用紙押止部２０から抵抗が付与される。
【００３５】
以上ように、第２実施例に係る画像形成装置１においては、用紙５０の搬送方向１９に対して定着器１４の上流側に設けたセンサ（ペーパースタートセンサ（ＰＳＳ）１８）の検知信号によって用紙押止部２０の制御を行う。
【００３６】
次に、本発明の実施形態に係る画像形成装置１の第３実施例について説明する。尚、第３実施例に係る画像形成装置１において、第１実施例、及び第２実施例に係る画像形成装置１と同様の構成については説明を省略する。図９は、第３実施例に係る画像形成装置１の用紙押止部２０の概略図である。
【００３７】
図９に示すように、用紙押止部２０は、第１押止部２１と、第２押止部２２と、ソレノイド２３と、から構成されている。第１押止部２１は、用紙５０の第１面側に設けられ、ソレノイド２３と接続されている。第１押止部２１は、ソレノイド２３を作動することにより用紙５０の搬送方向１９に対して上下方向に動作する。
【００３８】
図９に示すように、第１押止部２１は、本体部２４と、当接部２５と、を有する。本体部２４は、一端部にソレノイド２３が接続され、他端部に当接部２５が接続されている。当接部２５は、用紙５０の第１面の押止部分５５に当接する当接部分である。当接部２５は、軸２６に対して回転可能に設けられ、用紙５０の搬送方向１９に回転する回転体である。当接部２５が回転体であることから、用紙５０に対する接触面積が小さくなるとともに、用紙５０に必要以上の力がかからないため、用紙５０が損傷等することがない。
【００３９】
一方で、用紙押止部２０は、当接部２５が回転体であることから、用紙５０を押し止める力が小さくなる。そのため、第１押止部２１は、当接部２５の下方であって、用紙５０の押止部分５５に対向する位置に抵抗部材２７を設けている。抵抗部材２７が当接部２５に当接することにより、当接部２５の回転が抑制され、用紙押止部２０が用紙５０に付与する抵抗が適切な大きさとなる。
【００４０】
第２押止部２２は板状の部材であり、用紙５０の第２面側であって第１押止部２１に対向する位置に設けられている。
【００４１】
用紙押止部２０は、ソレノイド２３が短時間の間に往復動作をすることにより、第１押止部２１の当接部２５、及び第２押止部２２が用紙５０に当接し、用紙５０の搬送方向１９に対して直交する方向の一端部（押止部分５５）に抵抗を付与する。押止部分５５に抵抗が付与されることにより、一時的に、押止部分５５側と、押止部分５５側の反対側との間に搬送速度の差が生じる。そして、用紙５０は、そのまま搬送されることで、搬送方向１９に対して傾いた状態となる（図４、用紙５０ａ）。
【００４２】
以上のように、本発明の実施形態に係る画像形成装置１は、用紙５０の終端部５２が定着器１４を通過した場合に、用紙押止部２０により、用紙５０の搬送方向１９に直交する方向における用紙５０の一端部に、用紙５０面に交差する方向から抵抗が付与されることから、抵抗が付与された側の用紙５０の搬送速度が一時的に減速されて、用紙５０を搬送方向１９に対して斜行させることができる。そのため、用紙５０をシフトさせた状態で排紙トレイ１５に排出することができる。また、用紙押止部２０は、用紙５０の押止部分５５に抵抗を付与する構成であることから、機構を簡素化できるとともに、動作域を狭くし、シフト排出機構の作動音を小さくすることができる。
【００４３】
また、第１実施例に係る画像形成装置１においては、用紙押止部２０と定着器１４との間に設けたペーパーディスチャージセンサ（ＰＤＳ）１７が用紙５０の終端部５２を検知することで、用紙５０の終端部５２が定着器１４を通過したことを検知することから、用紙５０の終端部５２が定着器１４を通過したことを適確検知することができる。そして、用紙押止部２０は、用紙５０の両端部がローラによりニップされた状態で押止部分５５に抵抗を付与することはない。そのため、用紙押止部２０が押止部分５５に抵抗を付与する際に、用紙５０の両端部に無理な力が加えられず、用紙５０が損傷等することがない。
【００４４】
さらに、第２実施例に係る画像形成装置１においては、定着器１４の上流側に設けたペーパースタートセンサ（ＰＳＳ）１８が用紙５０の始端部５１を検知してから所定時間経過したことで、用紙５０の終端部５２が定着器１４を通過したことを検知することから、用紙５０の終端部５２が定着器１４を通過したことを適確検知することができる。そして、用紙押止部２０は、用紙５０の両端部がローラによりニップされた状態で押止部分５５に抵抗を付与することはない。そのため、用紙押止部２０が押止部分５５に抵抗を付与する際に、用紙５０の両端部に無理な力が加えられず、用紙５０が損傷等することがない。
【００４５】
さらにまた、第３実施例に係る画像形成装置１においては、用紙押止部２０は、用紙５０との当接部分を、用紙５０の搬送方向１９に回転する回転体としたことから、用紙押止部２０が用紙５０の押止部分５５に抵抗を付与する際に、用紙５０に対する接触面積が小さくなるとともに、用紙５０に必要以上の力がかからないため、用紙５０が損傷等することがない。
【図面の簡単な説明】
【００４６】
【図１】第１実施例に係る画像形成装置１の概略図。
【図２】第１実施例に係る画像形成装置１の用紙押止部２０近傍の平面図。
【図３】第１実施例に係る画像形成装置１の用紙押止部２０近傍の側面図。
【図４】用紙５０が用紙押止部２０により抵抗を付与されて斜行する際の概略図。
【図５】第１実施例に係る画像形成装置１の用紙押止部２０のｓ構成を示すブロック図。
【図６】第１実施例に係る画像形成装置１の用紙押止部２０の制御を示すフローチャート。
【図７】第２実施例に係る画像形成装置１の用紙押止部２０の構成を示すブロック図。
【図８】第２実施例に係る画像形成装置１の用紙押止部２０の制御を示すフローチャート。
【図９】第３実施例に係る画像形成装置１の用紙押止部２０の概略図。
【符号の説明】
【００４７】
１                画像形成装置
１５              排紙トレイ
１６              排出ローラ
１７              ペーパーディスチャージセンサ（ＰＤＳ）
１８              ペーパースタートセンサ（ＰＳＳ）
１９              用紙５０の搬送方向
２０              用紙押止部
２１              第１押止部
２２              第２押止部
３０              ヒートローラ（搬送ローラ）
３１              プレスローラ（搬送ローラ）
５０              用紙
５２              用紙５０の終端部
５５              押止部分（用紙５０の一端部）
【図１】
2009274794.tif 000003
【図２】
2009274794.tif 000004
【図３】
2009274794.tif 000005
【図４】
2009274794.tif 000006
【図５】
2009274794.tif 000007
【図６】
2009274794.tif 000008
【図７】
2009274794.tif 000009
【図８】
2009274794.tif 000010
【図９】
2009274794.tif 000011